(57)【要約】【課題】断面Ｃ字状の仕切部材が埋設された筒状ゴム弾性体を含むスタビライザブッシュを良好な製作性をもって有利に製造可能な技術を提供する。【解決手段】軸直角方向に開口する開口部３４が軸方向全長に延びるように設けられた断面Ｃ字状の仕切部材２０を、筒状ゴム弾性体１８内に、それが内側の部分３８と外側の部分３６とに仕切られるように埋設すると共に、仕切部材２０の中心軸に対して開口部３４と対称に位置する仕切部材２０部分と、かかる仕切部材２０部分が埋設される筒状ゴム弾性体１８部分とが位置する周上の一箇所に、仕切部材２０と筒状ゴム弾性体１８とをそれぞれ周方向に分断する切割り４２を、軸方向の全長に亘って延びるように設けて、構成した。【選択図】図３
2013056616.tif 000002
【特許請求の範囲】
【請求項１】
軸方向に貫通する中心孔を備えた筒状ゴム弾性体と、該筒状ゴム弾性体の該中心孔の周りに位置して、該筒状ゴム弾性体を内側の部分と外側の部分とに仕切るように、該ゴム弾性体に埋設された筒状の仕切部材とを含んでなると共に、該仕切部材が、周上の一箇所に、軸直角方向に開口する開口部が軸方向全長に延びるように設けられたＣ字状の断面形状を有して構成され、該筒状ゴム弾性体の該中心孔において車両のスタビライザバーに外挿装着される一方、該筒状ゴム弾性体の外周部に装着されるブラケットを介して、車両に取り付けられることにより、該スタビライザバーを車両に弾性支持させるスタビライザブッシュにおいて、
前記仕切部材の中心軸に対して前記開口部と対称に位置する仕切部材部分と、該仕切部材部分が埋設される前記筒状ゴム弾性体部分とが位置する周上の一箇所に、該仕切部材と該筒状ゴム弾性体とをそれぞれ周方向に分断する切割りが、軸方向の全長に亘って延びるように形成されていることを特徴とするスタビライザブッシュ。
【請求項２】
軸方向に貫通する中心孔を備えた筒状ゴム弾性体と、該筒状ゴム弾性体の該中心孔の周りに位置して、該筒状ゴム弾性体を内側の部分と外側の部分とに仕切るように、該ゴム弾性体に埋設された筒状の仕切部材とを含んでなると共に、該仕切部材が、周上の一箇所に、軸直角方向に開口する開口部が軸方向全長に延びるように設けられたＣ字状の断面形状を有して構成され、該筒状ゴム弾性体の該中心孔において車両のスタビライザバーに外挿装着される一方、該筒状ゴム弾性体の外周部に装着されるブラケットを介して、車両に取り付けられることにより、該スタビライザバーを車両に弾性支持させるスタビライザブッシュの製造方法であって、
前記筒状ゴム弾性体に対応した形状を有する筒状の成形キャビティ内に、前記仕切部材を、該成形キャビティが内側の部分と外側の部分とに仕切られるように収容配置する工程と、
前記成形キャビティ内に未加硫ゴムを充填した後、該未加硫ゴムに対する加硫操作を行って、前記仕切部材が埋設された前記筒状ゴム弾性体を加硫成形する工程と、
該加硫成形された筒状ゴム弾性体に埋設される前記仕切部材の中心軸に対して前記開口部と対称に位置する仕切部材部分と、該仕切部材部分が埋設される筒状ゴム弾性体部分とを、軸方向の全長に亘って切断することにより、該仕切部材と該筒状ゴム弾性体とをそれぞれ周方向に分断する切割りを、軸方向の全長に亘って延びるように形成する工程と、
を含むことを特徴とするスタビライザブッシュの製造方法。
【発明の詳細な説明】
【技術分野】
【０００１】
本発明は、スタビライザブッシュとその製造方法とに係り、特に、スタビライザバーを自動車等の車両のボデーやフレーム等に防振支持させるスタビライザブッシュと、そのようなスタビライザブッシュの有利な製造方法とに関するものである。
【背景技術】
【０００２】
従来から、自動車等の車両には、旋回時等における車体の傾きを抑えるためのスタビライザバーが装着されている。そして、通常、かかるスタビライザバーは、スタビライザブッシュを介して、車両のボデーやフレーム等に防振支持される。このスタビライザバーを車両に防振支持させるスタビライザブッシュは、一般に、軸方向に貫通する中心孔を備えた筒状ゴム弾性体を含んでなり、中心孔においてスタビライザバーに外挿装着されると共に、外周部に装着されたブラケットを介して、車両のボデー等に取り付けられるようになっている。
【０００３】
ところで、そのようなスタビライザブッシュにおいては、筒状ゴム弾性体の中心孔内に挿入されたスタビライザバーの外周面と筒状ゴム弾性体の中心孔の内周面との間等に、振動入力による弾性変形によって隙間が生ずると、筒状ゴム弾性体の中心孔の内周面へのスタビライザバーの衝突等による異音が発生する。このため、従来のスタビライザブッシュは、通常、筒状ゴム弾性体が、ボデー等の車両の取付部位とブラケットとの間で予圧縮された状態で、ボデー等に取り付けられている。これにより、弾性変形時におけるスタビライザバーの外周面と筒状ゴム弾性体の中心孔の内周面との間等での隙間の発生を解消して、筒状ゴム弾性体の内周面とスタビライザバーとの衝突等による異音の発生を防止する対策が講じられているのである。しかしながら、単に、予圧縮が加えられただけのスタビライザブッシュにあっては、予圧縮量（予圧縮により弾性変形した筒状ゴム弾性体の変形寸法）が大きいと、スタビライザバーが外部から入力される捩り力によって中心軸回りに回転したときに、スタビライザバーと筒状ゴム弾性体との間でスティックスリップが生じ、それによって、きしみ音や擦れ音等の異音が発生するだけでなく、乗り心地も悪化する等の様々な不具合が惹起されるといった懸念がある。
【０００４】
かかる状況下、例えば、特開２０００−４６１１０号公報（特許文献１）や特開２００４−２５７５４０号公報（特許文献２）には、周上の一箇所に、軸直角方向に開口する開口部が軸方向全長に延びるように設けられた断面Ｃ字状の筒状体からなる仕切部材が、筒状ゴム弾性体の中心孔の周りに位置して、筒状ゴム弾性体を内側の部分と外側の部分とに仕切るように、筒状ゴム弾性体に埋設されてなるスタビライザブッシュが、それぞれ、明らかにされている。このような構造のスタビライザブッシュでは、筒状ゴム弾性体が、仕切部材よりも外側に位置する外側ゴム部分と、仕切部材よりも内側に位置する、十分に薄肉の内側ゴム部分とに仕切られているため、筒状ゴム弾性体が、ボデー等の車両の取付部位とブラケットとの間で予圧縮されたときに、ブラケットと仕切部材との間に位置する外側ゴム部分の予圧縮量が十分に大きくされる一方、仕切部材とスタビライザバーとの間に位置する内側ゴム部分の予圧縮量が可及的に小さくされる。これによって、上記の如き不具合が効果的に解消されるようになっている。また、かかるスタビライザブッシュでは、仕切部材が断面Ｃ字状を呈する１個の筒状体にて構成されているため、例えば、仕切部材が複数の分割筒体にて構成される場合とは異なって、スタビライザブッシュの製造時における仕切部材の取扱性が有利に高められるといった利点も確保されている。
【０００５】
そして、そのような従来のスタビライザブッシュにおいては、断面Ｃ字状とされた仕切部材の開口部が位置する筒状ゴム弾性体部分に、筒状ゴム弾性体の外周面から中心孔に達する幅を有して、筒状ゴム弾性体を周方向に分断する切割りが、軸方向の全長に亘って延びるように形成されている。かくして、スタビライザブッシュ（筒状ゴム弾性体）が、その中心軸に対して切割りと対称に位置する部分を中心として、切割りが拡開するように、回動可能とされている。そして、そのようにして拡開された切割りを通じて、スタビライザバーが、中心孔内に容易に挿通され得るようになっているのである。
【０００６】
ところが、断面Ｃ字状の仕切部材が埋設された筒状ゴム弾性体を含む従来のスタビライザブッシュには、以下の如き問題が内在していた。
【０００７】
すなわち、従来のスタビライザブッシュでは、筒状ゴム弾性体の外側ゴム部分をブラケットとの間で確実に予圧縮できるように、仕切部材として、十分に大きな剛性を備えた金属製や樹脂製のものが用いられる。そのため、そのような仕切部材には、その中心軸に対して開口部（筒状ゴム弾性体の切割りの形成部位に位置している）と対称に位置する部分、つまり、スタビライザブッシュの拡開の際にヒンジ部として機能する仕切部材部分に、軸方向に延びる溝部や薄肉部、或いは仕切部材の全長に至らない長さで軸方向に直線的に延びる窓部が形成され、それによって、剛性の高い仕切部材が、比較的に容易に拡開され得るようになっていた。
【０００８】
それ故、断面Ｃ字状の仕切部材が埋設された筒状ゴム弾性体を含む従来のスタビライザブッシュにおいては、その製造に際して、断面Ｃ字状の単純な筒形状を呈する仕切部材ではなく、窓部や溝部、或いは薄肉部等が部分的に設けられた、断面Ｃ字状の筒状仕切部材を準備する必要があった。そのため、特に、仕切部材が金属製である場合には、仕切部材の材料となる金属筒体や金属板に対して、窓部や溝部、或いは薄肉部等を部分的に形成する工程を行わなければならず、それが非常に面倒であったのであり、また、例えば、複数の分割筒体からなる仕切部材を用いる場合に比して、窓部や溝部、薄肉部等を仕切部材に形成するための余分な工程を実施する分だけ、スタビライザブッシュの製作性が不可避的に低下するといった問題が惹起されていたのである。
【先行技術文献】
【特許文献】
【０００９】
【特許文献１】特開２０００−４６１１０号公報
【特許文献２】特開２００４−２５７５４０号公報
【発明の概要】
【発明が解決しようとする課題】
【００１０】
ここにおいて、本発明は、上述せる如き事情を背景にして為されたものであって、その解決課題とするところは、断面Ｃ字状の仕切部材が埋設された筒状ゴム弾性体を含むスタビライザブッシュにおいて、製作性の向上が有利に図られ得るように改良された構造を提供することにある。また、本発明にあっては、断面Ｃ字状の仕切部材が埋設された筒状ゴム弾性体を含むスタビライザブッシュを、優れた製作性をもって有利に製造し得る方法を提供することも、その解決課題とするものである。
【課題を解決するための手段】
【００１１】
そして、本発明にあっては、かかる課題の解決のために、軸方向に貫通する中心孔を備えた筒状ゴム弾性体と、該筒状ゴム弾性体の該中心孔の周りに位置して、該筒状ゴム弾性体を内側の部分と外側の部分とに仕切るように、該ゴム弾性体に埋設された筒状の仕切部材とを含んでなると共に、該仕切部材が、周上の一箇所に、軸直角方向に開口する開口部が軸方向全長に延びるように設けられたＣ字状の断面形状を有して構成され、該筒状ゴム弾性体の該中心孔において車両のスタビライザバーに外挿装着される一方、該筒状ゴム弾性体の外周部に装着されるブラケットを介して、車両に取り付けられることにより、該スタビライザバーを車両に弾性支持させるスタビライザブッシュにおいて、前記仕切部材の中心軸に対して前記開口部と対称に位置する仕切部材部分と、該仕切部材部分が埋設される前記筒状ゴム弾性体部分とが位置する周上の一箇所に、該仕切部材と該筒状ゴム弾性体とをそれぞれ周方向に分断する切割りが、軸方向の全長に亘って延びるように形成されていることを特徴とするスタビライザブッシュを、その要旨とするものである。
【００１２】
また、本発明にあっては、軸方向に貫通する中心孔を備えた筒状ゴム弾性体と、該筒状ゴム弾性体の該中心孔の周りに位置して、該筒状ゴム弾性体を内側の部分と外側の部分とに仕切るように、該ゴム弾性体に埋設された筒状の仕切部材とを含んでなると共に、該仕切部材が、周上の一箇所に、軸直角方向に開口する開口部が軸方向全長に延びるように設けられたＣ字状の断面形状を有して構成され、該筒状ゴム弾性体の該中心孔において車両のスタビライザバーに外挿装着される一方、該筒状ゴム弾性体の外周部に装着されるブラケットを介して、車両に取り付けられることにより、該スタビライザバーを車両に弾性支持させるスタビライザブッシュの製造方法であって、（ａ）前記筒状ゴム弾性体に対応した形状を有する筒状の成形キャビティ内に、前記仕切部材を、該成形キャビティが内側の部分と外側の部分とに仕切られるように収容配置する工程と、（ｂ）前記成形キャビティ内に未加硫ゴムを充填した後、該未加硫ゴムに対する加硫操作を行って、前記仕切部材が埋設された前記筒状ゴム弾性体を加硫成形する工程と、（ｃ）該加硫成形された筒状ゴム弾性体に埋設される前記仕切部材の中心軸に対して前記開口部と対称に位置する仕切部材部分と、該仕切部材部分が埋設される筒状ゴム弾性体部分とを、軸方向の全長に亘って切断することにより、該仕切部材と該筒状ゴム弾性体とをそれぞれ周方向に分断する切割りを、軸方向の全長に亘って延びるように形成する工程とを含むことを特徴とするスタビライザブッシュの製造方法をも、また、その要旨とするものである。
【発明の効果】
【００１３】
本発明に従うスタビライザブッシュにあっては、仕切部材の中心軸に対して開口部と対称に位置する仕切部材部分と、かかる仕切部材部分が埋設される筒状ゴム弾性体部分とが位置する周上の一箇所に切割りが設けられていることにより、仕切部材の開口部を中心として、切割りが拡開するように、回動可能とされている。即ち、かかるスタビライザブッシュでは、従来のスタビライザブッシュにおいて、あくまでも、スタビライザバーの挿通用としてしか利用されていなかった仕切部材の開口部が、ヒンジ部として利用されている。つまり、本発明に従うスタビライザブッシュにおいては、仕切部材の開口部が、従来のスタビライザブッシュにおける仕切部材の開口部の利用形態からは、到底、想到実施が不可能な形態において利用されているのである。
【００１４】
それ故、本発明に係るスタビライザブッシュでは、従来のスタビライザブッシュとは異なって、仕切部材の拡開を容易とするために、仕切部材のヒンジ部として機能する部分に、窓部や溝部、或いは薄肉部等を形成する必要が皆無とされ、その結果、スタビライザブッシュの製造に際して準備される仕切部材として、断面Ｃ字状の単純な筒形状を呈する仕切部材が、何等の加工も施さない、そのままの状態で使用可能となっている。そして、それによって、かかるスタビライザブッシュでは、その製造に際して、仕切部材に窓部や溝部、薄肉部等を形成するための工程が有利に省略され得るのである。
【００１５】
従って、かくの如き本発明に従うスタビライザブッシュにあっては、断面Ｃ字状の仕切部材が筒状ゴム弾性体に埋設されてなる従来のスタビライザブッシュに比して、製造工程が有利に簡略化され得、以て、十分に優れた製作性が発揮され得る。
【００１６】
しかも、本発明に従うスタビライザブッシュにおいては、スタビライザバーを中心孔内に装着するのに切割りを拡開するに際して、剛性の高い仕切部材が、何等、曲げ変形乃至は撓み変形することがなく、ゴム部分のみが曲げ変形乃至は撓み変形する。そのため、切割りの拡開操作を、より小さな力で簡単に行うことが可能となり、以て、スタビライザバーの中心孔内への装着作業の効率化と容易化とが、極めて有利に達成され得ることとなるのである。
【００１７】
そして、本発明に従うスタビライザブッシュの製造方法にあっても、仕切部材の中心軸に対して開口部と対称に位置する仕切部材部分と、かかる仕切部材部分が埋設される筒状ゴム弾性体部分とが位置する周上の一箇所に切割りが設けられる。従って、そのような本発明に従うスタビライザブッシュの製造方法によれば、目的とするスタビライザブッシュが、簡略な製造工程により、極めて優れた製作性をもって有利に製造され得るのである。
【図面の簡単な説明】
【００１８】
【図１】本発明に従う構造を有するスタビライザブッシュの一実施形態を、ブッシュ本体の中心孔内にスタビライザバーが挿通されて、自動車のボデーに装着された状態において示す軸直角方向断面説明図であって、図２のＩ−Ｉ断面に相当する図である。
【図２】図１のII−II断面説明図である。
【図３】図１に示されたスタビライザブッシュの断面説明図であって、図４のIII−III断面に相当する図である。
【図４】図３のIV−IV断面説明図である。
【図５】図１に示されたスタビライザブッシュのブッシュ本体内に埋設される仕切部材の軸直角方向断面説明図であって、図６のＶ−Ｖ断面に相当する図である。
【図６】図５のVI−VI断面説明図である。
【図７】図３に示されたスタビライザブッシュを製造する際の一工程例を示す説明図であって、成形金型に形成された成形キャビティ内に仕切部材をセットした状態を示している。
【図８】図７に示された工程に引き続いて実施される一工程例を示す説明図であって、仕切部材をセットした成形キャビティ内に、未加硫ゴムを充填した状態を示している。
【図９】図８に示された工程に引き続いて実施される加硫操作によって得られたスタビライザブッシュの、切割りが設けられる前の状態を示す、図３に対応する図である。
【発明を実施するための形態】
【００１９】
以下、本発明を更に具体的に明らかにするために、本発明の実施の形態について、図面を参照しつつ、詳細に説明する。
【００２０】
先ず、図１及び図２には、本発明に従うスタビライザブッシュの一実施形態としての自動車用スタビライザブッシュが、自動車に取り付けられた状態での軸直角方向断面形態と軸方向断面形態とにおいて、それぞれ示されている。それらの図から明らかなように、スタビライザブッシュ１０は、軸方向に貫通する、横断面円形状の中心孔１６が設けられた、筒状ゴム弾性体としてのブッシュ本体１８を有している。また、このブッシュ本体１８内には、筒状の仕切部材２０が、中心孔１６の周りに位置して、軸方向に延びるように埋設されている。そして、そのようなスタビライザブッシュ１０が、ブッシュ本体１８の中心孔１６においてスタビライザバー１２に外挿装着されると共に、ブッシュ本体１８の外周部にブラケット２２が装着されて、かかるブラケット２２が自動車のボデー１４の取付面１５に固定されることにより、ブラケット２２を介して、自動車のボデー１４の取付面１５に取り付けられ、以て、スタビライザバー１２を自動車のボデー１４に対して弾性的に支持させ得るようになっているのである。なお、以下からは、スタビライザブッシュ１０の自動車のボデー１４への取付状態に基づいて、図１の上下方向を、スタビライザブッシュ１０の上下方向と言うこととする。
【００２１】
より詳細には、ブッシュ本体１８は、例えば、一般的な天然ゴム（ＮＲ）や、ブタジエンゴム（ＢＲ）、スチレン・ブタジエンゴム（ＳＢＲ）等の合成ゴム材料、或いはそれらのゴム材料に所定の潤滑剤が配合されてなる、所謂自己潤滑ゴム等を用いて、形成されている。
【００２２】
そして、図３及び図４に示されるように、かかるブッシュ本体１８は、軸直角方向断面において、外周の下側略１／２周部分が円弧形状とされる一方、外周の残りの上側略１／２周部分が、略矩形形状とされた逆鞍型乃至は逆蒲鉾状の外周形状を有している。即ち、ブッシュ本体１８にあっては、外周面が、円弧状の下側底面部分２４と、この下側底面部分２４の周方向両端から鉛直上方に延びる平面からなる二つの側面部分２６，２６と、それら二つの側面部分２６，２６の上端を相互に連結するように、水平方向に延びる平坦な上側底面部分２８とにて構成されている。
【００２３】
そのようなブッシュ本体１８においては、下側底面部分２４と二つの側面部分２６，２６の軸方向両端側部分に対して、比較的に厚肉の略平板形状を呈する外フランジ部３０，３０が、互いに対向配置された状態で、それぞれ、一体的に周設されている。また、ブッシュ本体１８の軸方向両側の端面における軸直角方向中間部には、すぐり部３２が、それぞれ形成されている。このすぐり部３２は、仕切部材２０よりも外側に位置して、仕切部材２０の周方向に沿って連続して延びる円形の凹溝形態を有している。
【００２４】
一方、ブッシュ本体１８内に埋設される仕切部材２０は、図５及び図６に示されるように、全体として、円筒形状を有している。そして、周上の一箇所に、軸直角方向に開口して（仕切部材２０を軸直角方向に分断して）、軸方向の全長に連続して延びる開口部（スリット）３４が設けられていることで、横断面Ｃ字形状とされている。即ち、仕切部材２０は、開口部３４により、周上の一箇所で周方向に分断されている。そして、かかる仕切部材２０には、開口部３４を間に挟んで周方向の両側に、軸方向の全長に亘って連続して延びる平坦面からなる二つの分断面３５，３５が、互いに対向位置するように設けられているのである。
【００２５】
なお、仕切部材２０は、ブッシュ本体１８内に埋設された状態下で、外部からの入力荷重によって実質的に塑性変形しない程度の剛性を有するものであれば、その材質が、何等、限定されるものではなく、一般的には、金属材料や合成樹脂材料を用いて形成される。しかしながら、後述するように、仕切部材２０は、ブッシュ本体１８内への埋設状態下で、ブッシュ本体１８と共に切断される。それ故、ここでは、そのような仕切部材２０の形成材料として、金属材料を用いる場合には、アルミニウム等の比較的に軟らかい金属材料が、好適に用いられる。なお、金属製の仕切部材２０は、例えば、一枚の金属板を筒状に曲げ加工する公知のプレス成形等を行うことにより、容易に得ることができる。また、合成樹脂製の仕切部材２０は、例えば、射出成形等の公知の金型成形によって、容易に得ることができる。
【００２６】
また、スタビライザブッシュ１０が、ブッシュ本体１８の外周部に装着されるブラケット２２を介して自動車のボデー１４に取り付けられる際には、後述するように、ブッシュ本体１８が、仕切部材２０を埋設した状態下で、ブラケット２２とボデー１４とにて軸直角方向内方に押圧されて、予圧縮される。このとき、仕切部材２０が、ブッシュ本体１８の弾性変形と共に、仕切部材２０の開口部３４の幅（二つの分断面３５，３５間の距離）を小さくするように縮径変形することがあるが、そのような縮径変形によって、二つの分断面３５，３５が互いに当接乃至は干渉することがある。これは、スタビライザブッシュ１０の後述する切割り４２の拡開操作の妨げとなる場合がある。それ故、仕切部材２０の開口部３４の幅は、特に限定されるものではないものの、スタビライザブッシュ１０の自動車のボデー１４への取付時に、仕切部材２０の縮径変形によって、開口部３４の幅方向両側端面が互いに当接乃至は干渉しない程度の大きさとされていることが望ましい。なお、二つの分断面３５，３５同士が当接乃至は干渉しても、切割り４２の拡開操作の妨げとならない場合には、開口部３４が、二つの分断面３５，３５間の距離が実質的にゼロとなるような単なる切込みであっても良い。
【００２７】
さらに、図４から明らかなように、ここでは、仕切部材２０の軸方向長さが、仕切部材２０よりも外側に位置するブッシュ本体１８部分（後述する外側ゴム部３６）の軸方向長さよりも所定寸法だけ短くされている。これによって、ブッシュ本体１８の軸方向両側の端面に他部材が接触したときに、仕切部材２０よりも外側に位置するブッシュ本体１８部分が緩衝材として機能して、かかる他部材が、仕切部材２０の端面に接触することが可及的に防止されるようになっている。なお、仕切部材２０の軸方向長さは、何等、これに限定されるものではない。
【００２８】
そして、図３及び図４に示されるように、上記の如き構造とされた仕切部材２０が、ブッシュ本体１８内に、その中心孔１６の周りに、ブッシュ本体１８と同軸的に位置して、軸方向に延びるように埋設されている。これにより、ブッシュ本体１８が、仕切部材２０よりも外側に位置する外側ゴム部３６と、仕切部材２０よりも内側に位置する内側ゴム部３８とに仕切られている。また、そのような外側ゴム部３６と内側ゴム部３８とが、仕切部材２０の開口部３４を形成する二つの分断面３５，３５間に位置するゴム部分からなる連結ゴム部４０にて、互いに連結されている。即ち、ブッシュ本体１８が、外側ゴム部３６と内側ゴム部３８と連結ゴム部４０とにて構成されている。そして、仕切部材２０が、その外周面において、外側ゴム部３６に加硫接着されている一方、内周面において、内側ゴム部３８に加硫接着され、更に、二つの分断面３５，３５において、連結ゴム部４０に加硫接着されているのである。
【００２９】
また、ここでは、仕切部材２０の厚さが、ブッシュ本体１８よりも十分に薄い厚さとされ、その内径が、ブッシュ本体１８の内径よりも少しだけ大きくされている。これにより、ブッシュ本体１８の内側ゴム部３８が、外側ゴム部３６よりも十分に薄肉とされている。なお、内側ゴム部３８の厚さは、特に限定されるものではないものの、ブッシュ本体１８の中心孔１６内にスタビライザバー１２を挿通した状態下で、ブラケット２２と自動車のボデー１４との間で、ブッシュ本体１８に予圧縮を加えたときに、内側ゴム部３８が、厚さ方向において実質的に弾性変形しないか、或いはその弾性変形量が可及的に小さな量となる程度の厚さとされていることが望ましい。これによって、スタビライザバー１２が外部から入力される捩り力によって中心軸回りに回転したときに、スタビライザバー１２とブッシュ本体１８との間でのスティックスリップの発生が効果的に防止され得ることとなる。
【００３０】
そして、本実施形態のスタビライザブッシュ１０では、仕切部材２０が、ブッシュ本体１８内において、中心軸：Ｐ（ブッシュ本体１８の中心軸：Ｑと一致する）を含む水平面：αを間に挟んで、ブッシュ本体１８の周方向（軸直角方向）両側に、二つの分断面３５，３５をそれぞれ一つずつ位置させるように配置されている。換言すれば、ブッシュ本体１８の連結ゴム部４０が、上記水平面：αにて、ブッシュ本体１８の周方向（軸直角方向）に略二等分される位置に配置されるように、仕切部材２０のブッシュ本体１８内での周方向位置が設定されているのである。
【００３１】
また、かかるスタビライザブッシュ１０においては、仕切部材２０の開口部３４やブッシュ本体１８の連結ゴム部４０が位置する周上の一箇所とは、仕切部材２０とブッシュ本体１８の中心軸：Ｐ、Ｑに対して対称に位置する箇所に、ブッシュ本体１８の外周面から中心孔１６に達する幅を備えた切割り４２が、軸方向の全長に亘って連続して延びるように形成されている。
【００３２】
かくして、前記水平面：α上において、開口部３４とは中心軸：Ｐを間に挟んで反対側に位置する仕切部材２０部分と、連結ゴム部４０とは中心軸：Ｑを間に挟んで反対側に位置する外側ゴム部３６部分と内側ゴム部３８部分とが、それぞれ、切割り４２により、軸方向の全長に亘って、周方向に分断されている。また、それによって、スタビライザブッシュ１０が、図３に二点鎖線で示されるように、ブッシュ本体１８の連結ゴム部４０を中心として回動して、切割り４２が拡開され得るようになっているのである。
【００３３】
このように、本実施形態のスタビライザブッシュ１０においては、開口部３４を有する横断面Ｃ字状の仕切部材２０がブッシュ本体１８内に埋設されてなる従来品とは異なって、切割り４２を拡開する際に、仕切部材２０の開口部３４と、かかる開口部３４内に位置する連結ゴム部４０と、この連結ゴム部４０を間に挟んで水平方向の両側に位置する外側ゴム部３６部分及び内側ゴム部３８部分とが、ヒンジ部として機能する。それ故、切割り４２の拡開時に、仕切部材２０が、弾性変形したり撓み変形したりすることなしに、単に、ブッシュ本体１８だけが部分的に弾性変形するようになっている。
【００３４】
そして、かくの如き構造とされたスタビライザブッシュ１０を用いて、スタビライザバー１２を自動車のボデー１４に防振支持させる際には、先ず、図３に二点鎖線で示されるように、スタビライザブッシュ１０の切割り４２を側方に拡開した後、この拡開した切割り４２を通じて、スタビライザバー１２を中心孔１６内に挿通する。
【００３５】
その後、図１及び図２に示されるように、ブラケット２２をスタビライザブッシュ１０の外周部に装着する。ここで用いられるブラケット２２は、例えば、高い剛性を有する金属板をプレス成形してなる金属部材にて構成され、長さ方向中間部からなる装着部４４と、長さ方向両端部からなる二つの取付部４６，４６とを一体的に有している。このブラケット２２の装着部４４は、ブッシュ本体１８の外周面のうちの下側底面部分２４と二つの側面部分２６，２６とにおける二つの外フランジ部３０，３０間に位置する部分に対応した略Ｕ字形状を有している。一方、二つの取付部４６，４６は、平板形状を呈し、略Ｕ字状の装着部４４の二つの上端部から互いに逆となる側方に向かって一体的に延び出している。また、それら二つの取付部４６，４６には、それぞれ、ボルト挿通孔４８が、一つずつ穿設されている。そして、かかるブラケット２２が、装着部４４において、スタビライザブッシュ１０のブッシュ本体１８に対して、二つの外フランジ部３０，３０にて挟まれた下側底面部分２４部分と二つの側面部分２６，２６部分とをそれぞれ囲繞乃至は包囲した状態で、装着されるのである。
【００３６】
なお、図１及び図２に明示されてはいないものの、ブラケット２２の略Ｕ字状を呈する装着部４４の最大深さが、ブッシュ本体１８の下側底面部分２４から上側底面部分２８までの高さの最大値よりも所定寸法小さくされている。そのため、そのようなブラケット２２が装着部４４においてブッシュ本体１８に装着された状態下では、ブッシュ本体１８の上側底面部分２８の全体を含む外側ゴム部３６の上端部が、二つの取付部４６，４６の上端面から上方に、所定高さだけ突出して位置させられる。
【００３７】
次に、ブラケット２２が装着されたスタビライザブッシュ１０のブッシュ本体１８の上側底面部分２８を自動車のボデー１４の取付面１５に接触させる。このとき、ブッシュ本体１８の上端部が、二つの取付部４６，４６の上端面から上方に突出しているため、ブラケット２２の二つの取付部４６，４６が、ボデー１４の取付面１５から下方に離間して、配置される。そして、そのような状態から、二つの取付部４６，４６が、ボデー１４の取付面１５に当接する位置まで、ブラケット２２の装着部４４をブッシュ本体１８に押し付けつつ、ブラケット２２の全体を上方に変位させる。これによって、ブラケット２２の装着部４４とボデー１４の取付面１５との間で、ブッシュ本体１８の、主に外側ゴム部３６に対して予圧縮を加える。その後、ブラケット２２の各取付部４６，４６を、ボルト挿通孔４８，４８内にそれぞれ挿通された取付ボルト５０，５０にて、ボデー１４の取付面１５にボルト固定する。
【００３８】
かくして、スタビライザバー１２がブッシュ本体１８の中心孔１６内に挿通されたスタビライザブッシュ１０をボデー１４の取付面１５に取り付ける。そして、それにより、スタビライザバー１２を、スタビライザブッシュ１０にて、自動車のボデー１４に防振支持させるのである。
【００３９】
ところで、本実施形態のスタビライザブッシュ１０は、例えば、図７に示される如き構造を有する成形用型５２を用いて、以下の操作を実施することにより製造される。
【００４０】
ここで準備される成形用型５２は、例えば、未加硫ゴムの射出成形に用いられるもので、固定型５４と可動型５６と第一スライド型５８と第二スライド型６０とを含んで構成されている。
【００４１】
そのような成形用型５２における固定型５４の上面の中央部には、ブッシュ本体１８の軸方向一方側の端面形状に対応した形状を有する固定型側キャビティ面６２が設けられている。また、かかる固定型側キャビティ面６２には、支持用溝部６４が形成されている。この支持用溝部６４は、浅底の円形凹溝からなり、仕切部材２０の軸方向一端部が嵌入可能な構造とされている。
【００４２】
一方、可動型５６は、固定型５４の上方に、それと対向配置されており、図示しない油圧機構等により上下方向に移動可能とされて、固定型５４に対して接近／離隔可能とされている。また、可動型５６の固定型５４との対向面となる下面の中央部には、ブッシュ本体１８の軸方向他方側の端面形状に対応した形状を有する可動型側キャビティ面６６が設けられている。また、かかる可動型側キャビティ面６６の中心部には、円柱状突起６８が一体形成されている。この円柱状突起６８は、ブッシュ本体１８の中心孔１６の内径と同一の外径と、中心孔１６の軸方向長さと同一の高さとを有している。更に、可動型側キャビティ面６６には、支持用溝部６４が、円柱状突起６８の周囲に、周方向に連続して延びるように形成されている。この支持用溝部６４は、固定型側キャビティ面６２に形成される支持用溝部６４と同様な構造を有している。
【００４３】
第一スライド型５８と第二スライド型６０は、固定型５４と可動型５６との間において、水平方向において互いに対向配置されている。また、それら第一及び第二スライド型５８，６０は、図示しない油圧機構等により、固定型５４の上面上を水平方向にスライド移動可能とされ、それによって、互いに接近／離隔可能とされている。
【００４４】
そして、第一スライド型５８の第二スライド型６０との対向面の中央部が、第一スライド型側キャビティ面７０とされている一方、第二スライド型６０の第一スライド型５８との対向面の中央部が、第二スライド型側キャビティ面７２とされている。第一スライド型側キャビティ面７０は、ブッシュ本体１８の下側底面部分２４と、二つの側面部分２６，２６のそれぞれの上端部位を除く部位とに対応した形状を有している。また、第二スライド型側キャビティ面７２は、ブッシュ本体１８の二つの側面部分２６，２６のそれぞれの上端部位と、上側底面部分２８とに対応した形状を有している。
【００４５】
かくして、可動型５６が、固定型５４に対して接近移動すると共に、第一スライド型５８と第二スライド型６０とが、固定型５４の上面上を互いに接近移動して、それらが互いに型合せされることによって、成形用型５２内に、ブッシュ本体１８に対応した形状の成形キャビティ７４が、固定型側キャビティ面６２と可動型側キャビティ面６６と第一及び第二スライド型側キャビティ面７０，７２とにて囲まれて、形成されるようになっている。なお、図７中、７６は、図示しない射出成形機のノズルから射出される未加硫ゴムを、成形キャビティ７４内に導くスプルーである。
【００４６】
そして、このような構造の成形用型５２を用いて、スタビライザブッシュ１０を製造する際には、先ず、予めプレス成形された金属製の仕切部材２０、或いは予め射出成形等により金型成形された合成樹脂製の仕切部材２０を、型開きされた成形用型５２の固定型５４の固定型側キャビティ面６２上に支持された状態で、立設する。この仕切部材２０を固定型５４に支持させる操作は、仕切部材２０の軸方向一端部を、固定型側キャビティ面６２に形成された支持用溝部６４内に嵌入させることにより、容易に実施される。なお、仕切部材２０を固定型５４に支持させる際には、仕切部材２０の開口部３４が、最終的に得られるスタビライザブッシュ１０において、前記したような周方向位置となるように、仕切部材２０の支持用溝６４内での周方向位置を設定しておく必要がある。
【００４７】
次に、図７に示されるように、成形用型５２の型合せを実施して、成形用金型５２内に、成形キャビティ７４を形成する。成形用型５２が型合せされる際には、可動型５６の円柱状突起６８が、固定型５４に支持された仕切部材２０内に突入する一方、仕切部材２０の軸方向他端部が、可動型５６の可動型側キャビティ面６６に形成された支持用溝部６４内に嵌入される。これによって、成形キャビティ７４内に、仕切部材２０が収容配置されると共に、成形キャビティ７４が、仕切部材２０によって、それよりも外側の部分と内側の部分とに仕切られる。
【００４８】
かくして、本工程では、成形キャビティ７４の形成と同時に、成形キャビティ７４内に、仕切部材２０よりも外側の部分からなる外側ゴム部形成キャビティ部分７８と、仕切部材２０よりも内側の部分からなる内側ゴム部形成キャビティ部分８０とが、それぞれ形成される。また、成形キャビティ７４内に収容配置された仕切部材２０の開口部３４が、成形キャビティ７４の周上の一箇所において、上下方向に延びるように配置される。これによって、成形キャビティ７４内の外側ゴム部形成キャビティ部分７８と内側ゴム部形成キャビティ部分８０とが、仕切部材２０の開口部３４を通じて、相互に連通した状態とされる。
【００４９】
次に、図８に示されるように、スプルー７６を通じて、射出成形機のノズル（図示せず）から射出される未加硫ゴム８２を成形キャビティ７４内に、射出充填する。このとき、未加硫ゴム８２は、先ず、成形キャビティ７４の外側ゴム部形成キャビティ部分７８に導入され、そして、仕切部材２０の開口部３４を通じて、内側ゴム部形成キャビティ部分８０内に導き入れられる。
【００５０】
その後、成形キャビティ７４内に充填された未加硫ゴム８２に対して、加熱等による公知の加硫操作を実施する。これによって、成形キャビティ７４の外側ゴム部形成キャビティ部分７８内と内側ゴム部形成キャビティ部分８０内とにおいて、それぞれ、外側ゴム部３６と内側ゴム部３８とを加硫成形すると共に、仕切部材２０の開口部３４内において、連結ゴム部４０を加硫成形し、以て、ブッシュ本体１８を加硫成形する。また、それと同時に、仕切部材２０の外周面と内周面とを、外側ゴム部３６と内側ゴム部３８とに加硫接着すると共に、仕切部材２０の二つの分断面３５，３５を連結ゴム部４０に加硫接着する。かくして、図９に示されるように、仕切部材２０がブッシュ本体１８内に埋設されてなる、一体加硫成形品としてのスタビライザブッシュ１０を得る。
【００５１】
次に、上記のようにして得られたスタビライザブッシュ１０において、仕切部材２０の開口部３４やブッシュ本体１８の連結ゴム部４０が位置する周上の一箇所とは、仕切部材２０とブッシュ本体１８の中心軸：Ｐ、Ｑに対して対称に位置する仕切部材２０部分とブッシュ本体１８部分とを、所定のカッター等により切断して、周方向に分断する。これにより、図３に示されるように、仕切部材２０の開口部３４とはブッシュ本体１８の中心軸：Ｑに対して対称となるスタビライザブッシュ１０の周上の一箇所に、ブッシュ本体１８の外周面から中心孔１６にまで達する幅をもって、軸方向に連続して延びる切割り４２を形成する。かくして、切割り４２を備えた、目的とするスタビライザブッシュ１０を得るのである。
【００５２】
このように、本実施形態のスタビライザブッシュ１０においては、開口部３４を有する横断面Ｃ字状の仕切部材２０がブッシュ本体１８内に埋設されてなる従来品とは異なって、その製造時に、仕切部材２０として、中心軸：Ｐに対して開口部３４と対称に位置する仕切部材２０部分等に、切割り４２での拡開時における仕切部材２０の弾性変形や撓み変形を容易とするための溝部や窓部、薄肉部等が、何等設けられていない、単に、開口部３４を有するだけの単純な円筒形状を呈する仕切部材２０が用いられる。
【００５３】
それ故、このようなスタビライザブッシュ１０にあっては、その製造に際して、特に仕切部材２０が金属製である場合等に、仕切部材２０に対する溝部や窓部、薄肉部等の形成工程が有利に省略され得るのであり、その結果として、製造工程の簡略化が、極めて効果的に図られ得るのである。
【００５４】
しかも、本実施形態のスタビライザブッシュ１０では、前述したように、切割り４２を拡開する際に、仕切部材２０の開口部３４と、かかる開口部３４内に位置する連結ゴム部４０と、この連結ゴム部４０を間に挟んで水平方向の両側に位置する外側ゴム部３６部分及び内側ゴム部３８部分とがヒンジ部として機能するため、仕切部材２０が、弾性変形したり撓み変形したりすることなしに、単に、ブッシュ本体１８だけが部分的に弾性変形するようになっている。従って、切割り４２の拡開操作、更には、拡開された切割り４２を通じて、スタビライザバー１２をブッシュ本体１８の中心孔１６内に挿通するための操作が、十分に小さな力で、極めて容易に且つ迅速に実施され得ることとなるのである。
【００５５】
以上、本発明の具体的な構成について詳述してきたが、これはあくまでも例示に過ぎないのであって、本発明は、上記の記載によって、何等の制約をも受けるものではない。
【００５６】
例えば、ブッシュ本体１８の形状は、何等限定されるものではなく、軸方向に貫通する中心孔１６を備えた筒形状であれば、円筒形状や、その他の筒形状であっても良い。
【００５７】
また、ブッシュ本体１８の外周部に装着されるブラケット２２の構造も、例示のものに、何等限定されるものではなく、公知の種々の構造が採用可能である。従って、ブラケット２２は、例えば、ブッシュ本体１８に対して、それを軸直角方向の両側から挟み込んで装着されるような分割構造を有するものであっても良い。
【００５８】
さらに、スタビライザブッシュ１０を成形するのに用いられる成形用型５２の構造も、ブッシュ本体１８の形状等に応じて、種々変更が可能であり、例えば、ブッシュ本体１８がアンダーカット形状を有しない場合には、第一及び第二スライド型５８，６０が省略可能となる。
【００５９】
更にまた、成形用型５２による仕切部材２０の支持構造も、例示された構造以外に各種の支持構造が、採用可能である。
【００６０】
加えて、前記実施形態では、本発明は、自動車用のスタビライザブッシュとその製造方法に適用したものの具体例を示したが、本発明は、自動車用以外のスタビライザブッシュとその製造の何れに対しても有利に適用され得ることは、勿論である。
【００６１】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【符号の説明】
【００６２】
１０  スタビライザブッシュ            １２  スタビライザバー
１６  中心孔                          １８  ブッシュ本体
２０  仕切部材                        ２２  ブラケット
３４  開口部                          ３６  外側ゴム部
３８  内側ゴム部                      ４２  切割り
５２  成形用型                        ７４  成形キャビティ
【図１】
2013056616.tif 000003
【図２】
2013056616.tif 000004
【図３】
2013056616.tif 000005
【図４】
2013056616.tif 000006
【図５】
2013056616.tif 000007
【図６】
2013056616.tif 000008
【図７】
2013056616.tif 000009
【図８】
2013056616.tif 000010
【図９】
2013056616.tif 000011